(57)【要約】【課題】ドアに設けられるロック機構の施錠状態および解錠状態を機械的な操作に応じて切換えることを可能とするメカニカルキーと、ロック機構の施錠状態および解錠状態を切換えるための無線信号の発信が可能な発信ユニットがケースに内蔵されて成る携帯器とで構成されるキーユニットにおいて、メカニカルキーの形状に左右されることが少ないようにして多種のメカニカルキーを携帯器のケースに収容可能とする。【解決手段】開閉可能であるケース３２が、金属製のキープレートのキーヘッドが合成樹脂製のモールド部で覆われて成る第１のメカニカルキーのモールド部を含む一部を収容可能とするとともに、全体が金属製である第２のメカニカルキー１１Ｂに装着されるアタッチメント３３を含む第２のメカニカルキー１１Ｂの一部を、第１のメカニカルキーの一部に代えて収容可能に構成される。【選択図】        図６
2014084695.tif 000002
【特許請求の範囲】
【請求項１】
ドア（Ｄ）に設けられるロック機構（１２）の施錠状態および解錠状態を機械的な操作に応じて切換えることを可能とするメカニカルキー（１１Ａ，１１Ｂ）と、前記ロック機構（１２）の施錠状態および解錠状態を切換える無線信号の発信が可能な発信ユニット（３１）がケース（３２）に内蔵されて成る携帯器（２０）とで構成されるキーユニットにおいて、開閉可能である前記ケース（３２）が、金属製のキープレート（２９）のキーヘッド（２９ａ）が合成樹脂製のモールド部（３０）で覆われて成る第１の前記メカニカルキー（１１Ａ）の前記モールド部（３０）を含む一部を収容可能とするとともに、全体が金属製である第２の前記メカニカルキー（１１Ｂ）に装着されるアタッチメント（３３）を含む第２の前記メカニカルキー（１１Ｂ）の一部を、第１の前記メカニカルキー（１１Ａ）の一部に代えて収容可能に構成されることを特徴とするキーユニット。
【請求項２】
第１の前記メカニカルキー（１１Ａ）の前記一部および第２の前記メカニカルキー（１１Ｂ）の前記一部のいずれか一方の前記ケース（３２）内への収容を検知する検知手段（７０）が、第１の前記メカニカルキー（１１Ａ）の前記一部および第２の前記メカニカルキー（１１Ｂ）の前記一部のいずれか一方が前記ケース（３２）に収容されている状態でのみ前記発信ユニット（３１）の作動を許容するようにして前記携帯器（２０）に設けられることを特徴とする請求項１記載のキーユニット。
【請求項３】
第２の前記メカニカルキー（１１Ｂ）にその板厚方向で弾発的に当接する弾発当接部（４２）が、前記アタッチメント（３３）に設けられることを特徴とする請求項１または２記載のキーユニット。
【請求項４】
前記ケース（３２）の内外間にわたる連通孔（８１）が設けられることを特徴とする請求項１〜３のいずれかに記載のキーユニット。
【請求項５】
前記ケース（３２）に、透孔（８０）を有するリングホルダ（７９）が、前記透孔（８０）を前記ケース（３２）の外方に配置するようにして取付けられ、一端を前記ケース（３２）内に開口させた前記連通孔（８１）が、前記透孔（８０）の内周面に他端を開口させるようにして前記リングホルダ（７９）に設けられることを特徴とする請求項４記載のキーユニット。
【発明の詳細な説明】
【技術分野】
【０００１】
本発明は、ドアに設けられるロック機構の施錠状態および解錠状態を機械的な操作に応じて切換えることを可能とするメカニカルキーと、前記ロック機構の施錠状態および解錠状態を切換える無線信号の発信が可能な発信ユニットがケースに内蔵されて成る携帯器とで構成されるキーユニットに関する。
【背景技術】
【０００２】
メカニカルキーによる機械的な操作で施錠および解錠を切換可能とした住宅用ドアのロック機構に、携帯器による遠隔操作でも施錠および解錠を切換可能とするための電動駆動装置を後付けでドアに取付けるようにしたものが、特許文献１で知られており、このようなものでは、電動駆動装置の取付け前に使用していたメカニカルキーは基本的には不要となるのであるが、電動駆動装置の不調等に備えて緊急用にメカニカルキーを携帯しておいた方が安全である。そのため携帯器およびメカニカルキーをともに携帯するにあたって、別々にバッグやポケット内に収容するようにすると、嵩張ってしまい不便である。そこで特許文献２で開示されるように、メカニカルキーの一部を携帯器のケースに収容するようにしたものもある。
【先行技術文献】
【特許文献】
【０００３】
【特許文献１】実開平７−２５１７５号公報
【特許文献２】特開平９−１０５２５３号公報
【発明の概要】
【発明が解決しようとする課題】
【０００４】
携帯器のケースにメカニカルキーの一部を収容すると便利ではあるが、上記特許文献２で開示される構造では、メカニカルキーの形状が制限されてしまい、たとえば金属製のキープレートの一部が合成樹脂製のモールド部で覆われて成るメカニカルキー等に対応することができない。
【０００５】
本発明は、かかる事情に鑑みてなされたものであり、メカニカルキーの形状に左右されることが少ないようにして多種のメカニカルキーを携帯器のケースに収容し得るようにしたキーユニットを提供することを目的とする。
【課題を解決するための手段】
【０００６】
上記目的を達成するために、本発明は、ドアに設けられるロック機構の施錠状態および解錠状態を機械的な操作に応じて切換えることを可能とするメカニカルキーと、前記ロック機構の施錠状態および解錠状態を切換える無線信号の発信が可能な発信ユニットがケースに内蔵されて成る携帯器とで構成されるキーユニットにおいて、開閉可能である前記ケースが、金属製のキープレートのキーヘッドが合成樹脂製のモールド部で覆われて成る第１の前記メカニカルキーの前記モールド部を含む一部を収容可能とするとともに、全体が金属製である第２の前記メカニカルキーに装着されるアタッチメントを含む第２の前記メカニカルキーの一部を、第１の前記メカニカルキーの一部に代えて収容可能に構成されることを第１の特徴とする。
【０００７】
また本発明は、第１の特徴の構成に加えて、第１の前記メカニカルキーの前記一部および第２の前記メカニカルキーの前記一部のいずれか一方の前記ケース内への収容を検知する検知手段が、第１の前記メカニカルキーの前記一部および第２の前記メカニカルキーの前記一部のいずれか一方が前記ケースに収容されている状態でのみ前記発信ユニットの作動を許容するようにして前記携帯器に設けられることを第２の特徴とする。
【０００８】
本発明は、第１または第２の特徴の構成のいずれかに加えて、第２の前記メカニカルキーにその板厚方向で弾発的に当接する弾発当接部が、前記アタッチメントに設けられることを第３の特徴とする。
【０００９】
本発明は、第１〜第３の特徴の構成のいずれかに加えて、前記ケースの内外間にわたる連通孔が設けられることを第４の特徴とする。
【００１０】
さらに本発明は、第４の特徴の構成に加えて、前記ケースに、透孔を有するリングホルダが、前記透孔を前記ケースの外方に配置するようにして取付けられ、一端を前記ケース内に開口させた前記連通孔が、前記透孔の内周面に他端を開口させるようにして前記リングホルダに設けられることを第５の特徴とする。
【発明の効果】
【００１１】
本発明の第１の特徴によれば、携帯器のケースに、金属製のキープレートのキーヘッドが合成樹脂製のモールド部で覆われて成る第１のメカニカルキーのモールド部を含む一部を収容することができるとともに、全体が金属製である第２のメカニカルキーに装着されるアタッチメントを含む第２のメカニカルキーの一部を、第１のメカニカルキーに代えて収容することができるので、メカニカルキーの形状に左右されることが少ないようにして多種のメカニカルキーを携帯器のケースに収容することが可能となる。
【００１２】
また本発明の第２の特徴によれば、第１および第２のメカニカルキーの一部のいずれか一方がケース内に収容されたことを検知手段が検知しなければ、発信ユニットが作動しないので、ケース内へのメカニカルキーの収容を忘れることがなく、緊急時に必ず対処することができる。
【００１３】
本発明の第３の特徴によれば、全体が金属製である第２のメカニカルキーに、アタッチメントに設けられる弾発当接部が板厚方向で弾発的に当接するので、アタッチメントのがたつきを抑えることができる。
【００１４】
本発明の第４の特徴によれば、連通孔でケースの内外を連通させることにより、ケース内に水が浸入しても簡単に水を抜くことができる。
【００１５】
さらに本発明の第５の特徴によれば、ケースに取付けられるリングホルダが有する透孔がケースの外方に配置され、その透孔の内周面およびケース内にわたるようにして連通孔がリングホルダに設けられるので、連通孔の外端開口部をリングホルダで覆うようにして、ケース内に水が簡単に浸入しないようにすることができ、しかも連通孔の外端開口部を外部から見え難くして外観性を高めることができる。
【図面の簡単な説明】
【００１６】
【図１】住宅用のドアの一部を示す斜視図である。
【図２】電動駆動装置の構成を示すブロック図である。
【図３】モールド部を有する第１のメカニカルキーの斜視図である。
【図４】全体が金属製である第２のメカニカルキーならびに分解されたアタッチメントの斜視図である。
【図５】アタッチメントが装着された第２のメカニカルキーの一部がケースに収容された状態にあるキーユニットの正面図である。
【図６】図５の６−６線断面図である。
【図７】第１のメカニカルキーのモールド部を含む一部がケースに収容された状態での図６に対応した断面図である。
【図８】携帯器の分解斜視図である。
【図９】第１ケース部材を内面側から見た斜視図である。
【図１０】図５の１０−１０線断面図である。
【図１１】第１および第２のメカニカルキーのいずれもが収容されていない状態での図６に対応した断面図である。
【発明を実施するための形態】
【００１７】
以下、本発明の実施の形態について図１〜図１１を参照しながら説明すると、先ず図１において、住宅用のドアＤには、外部からの機械的な操作で施錠および解錠を切換可能としたロック機構１２が設けられており、このロック機構１２は、外部からの操作を可能としたシリンダ錠１３と、該シリンダ錠１３が備えるロータ（図示せず）の回動に応じて作動するデッドボルト１４とを備え、前記デッドボルト１４は、前記ドアＤの端縁に取付けられた化粧カバー１５から前記ロータの回動に応じて出没する。
【００１８】
また前記ドアＤの内面の前記シリンダ錠１３に対応する部分には、電動駆動装置１６が、たとえば後付けで取付けられており、この電動駆動装置１６は、前記シリンダ錠１３の前記ロータに連動、連結され、携帯器２０から送信される無線信号によって前記ロータを回動せしめて前記ロック機構１２の施錠状態および解錠状態を切換可能である。また前記電動駆動装置１６のケーシング１７からは前記ロータに連結されるサムターン操作部１８が突出される。
【００１９】
図２において、前記電動駆動装置１６は、前記携帯器２０からの無線信号を受信するアンテナ２２を有する受信部２３と、前記ロック機構１２の施錠状態および解錠状態を切換える動力を発揮する電動モータ２４ならびに前記デッドボルト１４もしくは該デッドボルト１４に連動して作動する部材の位置を検出する位置検出スイッチ２５を含むアクチュエータ２６と、前記受信部２３および前記位置検出スイッチ２５からの信号を受けて前記電動モータ２４の作動を制御するＥＣＵ２７と、前記ＥＣＵ２７および前記電動モータ２４に電力を供給するバッテリ２８とが、前記ケーシング１７内に収容されて成る。
【００２０】
前記シリンダ錠１３は、図３で示す第１のメカニカルキー１１Ａによって操作することが可能であり、第１のメカニカルキー１１Ａは、金属製のキープレート２９のキーヘッド２９ａが合成樹脂製のモールド部３０で覆われて成り、この第１のメカニカルキー１１Ａはそのモールド部３０を把持して回転操作することが可能である。
【００２１】
また前記シリンダ錠１３は、図４で示す第２のメカニカルキー１１Ｂによっても操作することが可能であり、この第２のメカニカルキー１１Ｂは、その全体が金属製である。
【００２２】
図５〜図７において、前記携帯器２０は、第１のメカニカルキー１１Ａおよび第２のメカニカルキー１１Ｂのいずれか一方と協働してキーユニット２１を構成するものであり、携帯器２０は、前記ロック機構１２の施錠状態および解錠状態を切換えるための無線信号の発信が可能な発信ユニット３１が開閉可能なケース３２に内蔵されて成る。
【００２３】
第１のメカニカルキー１１Ａの前記モールド部３０を含む一部は、図７で示すように、閉鎖状態にある前記ケース３２内に挿脱可能に収容することができる。また第２のメカニカルキー１１Ｂのキーヘッド３４には、たとえば前記モールド部３０にほぼ対応した形状を有するアタッチメント３３を装着可能であり、このアタッチメント３３を含む第２のメカニカルキー１１Ｂの一部を、図６で示すように、第１のメカニカルキー１１Ａの一部に代えて前記ケース３２内に挿脱可能に収容することも可能である。
【００２４】
前記アタッチメント３３は、第２のメカニカルキー１１Ｂのキーヘッド３４を両側から覆う合成樹脂製の第１および第２アタッチメントケース３６，３７が相互に結合されて成るものであり、第１および第２アタッチメントケース３６，３７は、相互に対向、当接する周壁３６ａ，３７ａを外周に有して相互に対向する側を開放した皿状に形成される。また第１アタッチメントケース３６の外周部の周方向に間隔をあけた複数箇所（この実施の形態では３箇所）に第２アタッチメントケース３７側に突出する係合爪３８，３８…が一体に突設される。一方、第２アタッチメントケース３７の周壁３７ａから内方に間隔をあけた位置には、第１アタッチメントケース３６の前記係合爪３８，３８…を弾発的に係合させる係止部３９，３９…が一体に設けられる。
【００２５】
而して第１アタッチメントケース３６の前記係合爪３８，３８…を第２アタッチメントケース３７の係止部３９，３９…に弾発的に係合させることで第１および第２アタッチメントケース３６，３７が結合されてアタッチメント３３が構成されるのであるが、第２のメカニカルキー１１Ｂのキーヘッド３４に設けられた矩形状の貫通孔３５に嵌合して第２のメカニカルキー１１Ｂに対するアタッチメント３３の相対位置を一定に定めるための筒状の位置決め突部４０が第２アタッチメントケース３７に一体に設けられる。
【００２６】
また第１アタッチメントケース３６には、前記位置決め突部４０に嵌合する位置決め突部４１が一体に設けられるとともに、第２のメカニカルキー１１Ｂの前記キーヘッド３４にその板厚方向で弾発的に当接する弾発当接部４２が設けられる。
【００２７】
図８〜図１０を併せて参照して、前記ケース３２は、相互に対向する側を開放した皿状に形成される合成樹脂製の第１および第２ケース部材４４，４５が分離可能に結合されて成るものであり、第１ケース部材４４の開口端部の外周側には、周方向の一部が切欠かれた筒状に形成されて第２ケース部材４５側に突出する外側突部４４ａが一体に設けられ、第２ケース部材４５の開口端部の内周側には、周方向一部が切欠かれた筒状に形成されて第１ケース部材４４側に突出する内側突部４５ａが前記外側突部４４ａ内に嵌合するようにして一体に設けられる。しかも周方向複数箇所で前記外側突部４４ａの内周面から突出する係合突部４６，４６…を弾発係合させる係止部４７，４７…が、前記内側突部４５ａの外周面の周方向複数箇所に形成される。
【００２８】
而して係合突部４６，４６…を係止部４７，４７…に弾発係合させるようにして前記外側突部４４ａに前記内側突部４５ａを嵌合することで第１および第２ケース部材４４，４５が相互に結合されて前記ケース３２が構成される。しかも前記ケース３２の周方向に沿う１箇所で、第１および第２ケース部材４４，４５の開口端縁の少なくとも一方、この実施の形態では第２ケース部材４５の開口端縁に、図８で示すように、コイン等を差し込むための差し込み凹部４８が外方に開口するようにして形成されており、その差し込み凹部４８に差し込んだコイン等を捩じる操作を行うことで前記係合突部４６，４６…の前記係止部４７，４７…への弾発係合を解除して第１および第２ケース部材４４，４５を相互に分離させて前記ケース３２を開放することが可能である。
【００２９】
図６および図７に注目して、前記発信ユニット３１のユニットケース５０は、前記ケース３２の第１ケース部材４４側に収容されるものであり、このユニットケース５０は、合成樹脂から成る第１および第２ユニットケース部材５１，５２が分離可能として相互に弾発係合されて成り、第２ユニットケース部材５２との間に電子部品収容室５４を形成するシールラバー５３の外周部が第１および第２ユニットケース部材５１，５２間に気密に挟持される。また前記シールラバー５３には、前記電子部品収容室５４内に収容される基板５５の外周部が嵌合支持されており、第２ユニットケース部材５２には、前記基板５５を支持する複数の支持突部５２ａ…が一体に突設される。また前記電子部品収容室５４内で前記基板５５および第２ユニットケース部材５２間にはボタン電池５６が収容、固定される。
【００３０】
前記ケース３２における第１ケース部材４４には、ケース３２内に一部が収容された第１のメカニカルキー１１Ａまたは第２のメカニカルキー１１Ｂの長手方向に間隔をあけた位置に配置される矩形状の第１および第２窓５７，５８が設けられており、それらの窓５７，５８に個別に対応した第１および第２開口部５９，６０が前記ユニットケース５０の第１ユニットケース部材５２に設けられる。
【００３１】
前記基板５５の前記ボタン電池５６とは反対側の面には、押圧力の作用によってオン状態となる第１および第２スイッチ６１，６２が前記ユニットケース５０の第１および第２開口部５９，６０に個別に対応して取付けられており、前記シールラバー５３には、第１および第２スイッチ６１，６２に個別に当接する第１および第２押圧部５３ａ，５３ｂが、相互に独立して撓むことができるようにして形成される。
【００３２】
また第１窓５７および第１開口部５９には、第１押圧部５３ａに内端部を当接させる施錠用押しボタン６３が摺動可能に嵌合され、第２窓５８および第２開口部６０には、第２押圧部５３ｂに内端部を当接させる解錠用押しボタン６４が摺動可能に嵌合されており、施錠用押しボタン６３および解錠用押しボタン６４は、前記ユニットケース５０内に収容される連結部６５で相互に連結される。しかも前記連結部６５は、前記施錠用および前記解錠用押しボタン６３，６４のいずれか一方を押し込み操作したときに他方にその影響が及ばないようにするために、前記施錠用および前記解錠用押しボタン６３，６４のいずれか一方を押し込み操作したときに容易に撓むように形成される。
【００３３】
而して第１および第２のメカニカルキー１１Ａ，１１Ｂのいずれか一方の一部が前記ケース３２に収容された状態で、施錠用押しボタン６３の操作に応じて第１スイッチ６１がオン状態になると、前記発信ユニット３１は、前記ロック機構１２を施錠状態とするための無線信号を発信し、前記解錠用押しボタン６４の操作に応じて第２スイッチ６２がオン状態になると、前記発信ユニット３１は、前記ロック機構１２を解錠状態とするための無線信号を発信する。
【００３４】
また前記ケース３２における第１ケース部材４４には、第１窓５７を第２窓５８との間に挟む位置に配置される小さな第３窓６６が設けられ、第３窓６６に対応した第３開口部６７が前記ユニットケース５０の第１ユニットケース部材５１に設けられる。
【００３５】
前記基板５５の前記ボタン電池５６とは反対側の面には、発信ユニット３１からの無線信号の発信時に発光する発光ダイオード６８が取付けられており、透光性を有する材料から成る前記シールラバー５３には、前記発光ダイオード６８からの光を導く導光部５３ｃが一体に設けられ、この導光部５３ｃは、その外端を第３窓６６に臨ませるようにして第３開口部６７および第３窓６６に嵌入される。
【００３６】
前記携帯器２０には、第１のメカニカルキー１１Ａの前記モールド部３０を含む一部ならびに第２のメカニカルキー１１Ｂに装着された前記アタッチメント３３を含む第２のメカニカルキー１１Ｂの一部のいずれか一方の前記ケース３２内への収容を検知する検知手段７０が、第１および第２のメカニカルキー１１Ａ，１１Ｂのいずれか一方の前記一部が前記ケース３２に収容されている状態でのみ前記発信ユニット３１の作動を許容するようにして設けられる。
【００３７】
この検知手段７０は、第１および第２のメカニカルキー１１Ａ，１１Ｂのいずれか一方の前記一部の前記ケース３２内への収容状態および非収容状態で位置を変化するようにして前記ケース３２に変位可能に支持されるマグネット７１と、該マグネット７１の変位によってスイッチング態様を変化するようにして前記発信ユニット３１に配設されるスイッチ７２とで構成される。
【００３８】
前記ケース３２における第１および第２ケース部材４４，４５間には、前記モールド部３０を含む第１のメカニカルキー１１Ａの一部が前記ケース３２に収容されている状態では第１のメカニカルキー１１Ａのキープレート２９をケース３２から突出させるとともに、前記アタッチメント３３を含む第２のメカニカルキー１１Ｂの一部が前記ケース３２に収容されている状態では第２のメカニカルキー１１Ｂの残余の部分を突出させる開口部７３（図６参照）が形成されており、第１ケース部材４４には、前記開口部７３に対応する部分で第１のメカニカルキー１１Ａのキープレート２９または第２のメカニカルキー１１Ｂに弾発的に当接するスポンジ７４が接着される。
【００３９】
前記開口部７３の近傍で前記ケース３２の第１ケース部材４４には、第１のメカニカルキー１１Ａの前記モールド部３０もしくは前記アタッチメント３３が装着された第２のメカニカルキー１１Ｂに当接可能なマグネットホルダ７５が摺動可能に支持される。
【００４０】
前記マグネットホルダ７５は、図７で示すように前記発信ユニット３１のユニットケース５０における第２ユニットケース部材５２ならびに前記ケース３２内に収容される前記モールド部３０間に挟まれることを可能として略Ｔ字状に形成される平板状の可動板部７５ａと、第２のメカニカルキー１１Ｂのうち図６で示すように前記ケース３２内に収容される部分に当接することを可能として前記可動板部７５ａの中央部に連なって第２ケース部材４５側に突出する当接突部７５ｂと、該当接突部７５ｂと反対側で前記可動板部７５ａの中央部に連なって第１ケース部材４４側に延びる筒状のばね収容筒部７５ｃと、ばね収容筒部７５ｃの両側に配置されて前記可動板部に連なる横断面略Ｕ字状の摺動ガイド部７５ｄ，７５ｄとを一体に有する。
【００４１】
一方、前記ケース３２の第１ケース部材４４には、前記ばね収容筒部７５ｃを摺動可能に嵌合させる嵌合筒部４４ｂと、前記摺動ガイド部７５ｄ，７５ｄを第１ケース部材４４の周壁と協働してガイドするようにして前記嵌合筒部４４ｂならびに第１ケース部材４４の周壁間を結ぶガイド壁４４ｃ，４４ｃとが一体に設けられ、前記ばね収容筒部７５ｃ内に収容されるコイル状のばね７６がマグネットホルダ７５および第１ケース部材４４間に縮設される。したがってマグネットホルダ７５は、その可動板部７５ａおよび当接突部７５ｂを第２ケース部材４５に近接させる側にばね付勢されることになる。
【００４２】
また前記ばね収容筒部７５ｃおよび前記摺動ガイド部７５ｄ，７５ｄ間で前記可動板部７５ａの前記ガイド壁４４ｃ，４４ｃに臨む側縁には、マグネットホルダ７５の摺動方向で第１ケース部材４４側に延びる延出腕部７５ｅ，７５ｅが一体に連設されており、それらの延出腕部７５ｅ，７５ｅの先端に規制爪部７５ｆ，７５ｆが設けられる。一方、第１ケース部材４４の前記ガイド壁４４ｃ，４４ｃには、前記規制爪部７５ｆ，７５ｆをスライド可能に挿入させる規制孔７７，７７がマグネットホルダ７５の摺動方向に長く延びて形成されており、第２ケース部材４５側にばね付勢される前記マグネットホルダ７５の第２ケース部材４５側への移動端は、図１１で示すように前記ケース３２に第１および第２のメカニカルキー１１Ａ，１１Ｂのいずれもが収容されていない状態で、前記規制爪部７５ｆ，７５ｆが前記規制孔７７，７７の第２ケース部材４５側の端縁に係合することで規制される。
【００４３】
前記マグネット７１は、前記可動板部７５ａのうち前記発信ユニット３１のユニットケース５０に第２ケース部材４５側から近接、対向する部分に取付けられており、前記スイッチ７２は、前記マグネット７１に対応する部分で前記ユニットケース５０内の前記基板５５に取付けられる近接スイッチである。
【００４４】
而して、図７で示すように前記ケース３２に前記モールド部３０を含む第１のメカニカルキー１１Ａの一部が収容された状態で前記発信ユニット３１のユニットケース５０における第２ユニットケース部材５２および前記モールド部３０間に前記マグネットホルダ７５の可動板部７５ａが挟まれることで前記マグネット７１が近接したときに前記スイッチ７２はオン状態となる。
【００４５】
また図６で示すように、前記ケース３２に前記アタッチメント３３を含む第２のメカニカルキー１１Ｂの一部が収容された状態で前記マグネットホルダ７５の当接突部７５ｂが第２のメカニカルキー１１Ｂに当接したときにも、前記マグネット７１は、前記モールド部３０を含む第１のメカニカルキー１１Ａの一部が前記ケース３２に収容されたときに比べると前記スイッチ７２から離れるものの前記スイッチ７２がオン状態となる位置となり、ケース３２に前記アタッチメント３３を含む第２のメカニカルキー１１Ｂの一部が収容された状態を検知することができる。ところで、第２のメカニカルキー１１Ｂに装着される前記アタッチメント３３のうち第１アタッチメントケース３６には、前記マグネットホルダ７５の当接突部７５ｂが第２のメカニカルキー１１Ｂに当接する際に、前記マグネットホルダ７５の可動板部７５Ａを収容、配置するための収容孔７８が形成される。
【００４６】
前記マグネットホルダ７５が配設される側とは反対側で前記ケース３２には、透孔８０を有するリングホルダ７９が、前記透孔８０を前記ケース３２の外方に配置するようにして取付けられる。
【００４７】
リングホルダ７９は、前記ケース３２の第１および第２ケース部材４４，４５間に挟まれるようにして前記ケース３２に取付けられるものであり、該リングホルダ７９のうち前記ケース３２内に配置される部分には、前記ケース３２における第１ケース部材４４側に嵌合する３つの嵌合突部７９ａ，７９ｂ，７９ｃが一体に突設される。而してケース３２に取付けられた状態にある前記リングホルダ７９のうち前記ケース３２よりも外方に配置される部分に、前記ケース３２の外周に対応した円弧状の前記透孔８０が形成される。
【００４８】
ところで前記キーユニット２１には、前記ケース３２の内外間にわたる連通孔８１が設けられるものであり、この連通孔８１は、一端を前記ケース３２内に開口させるとともに他端を前記透孔８０の内周面に開口させるようにして前記リングホルダ７９に設けられる。
【００４９】
次にこの実施の形態の作用について説明すると、発信ユニット３１が内蔵されるケース３２は開閉可能であり、このケース３２が、金属製のキープレート２９のキーヘッド２９ａが合成樹脂製のモールド部３０で覆われて成る第１のメカニカルキー１１Ａの前記モールド部３０を含む一部を収容可能とするとともに、全体が金属製である第２のメカニカルキー１１Ｂに装着されるアタッチメント３３を含む第２の前記メカニカルキー１１Ｂの一部を、第１のメカニカルキー１１Ａの一部に代えて収容可能に構成されるので、メカニカルキー１１Ａ，１１Ｂの形状に左右されることが少ないようにして多種のメカニカルキー１１Ａ，１１Ｂを携帯器２０のケース３２に収容することが可能となる。
【００５０】
また携帯器２０には、第１のメカニカルキー１１Ａの前記一部および第２のメカニカルキー１１Ｂの前記一部のいずれか一方の前記ケース３２内への収容を検知する検知手段７０が設けられ、この検知手段７０が、第１のメカニカルキー１１Ａの前記一部および第２のメカニカルキー１１Ｂの前記一部のいずれか一方が前記ケース３２に収容されていることを検出した状態でのみ発信ユニット３１の作動が許容されるので、ケース３２内へのメカニカルキー１１Ａ，１１Ｂの収容を忘れることがなく、緊急時に必ず対処することができる。
【００５１】
また前記検知手段７０が、第１のメカニカルキー１１Ａの前記一部および第２のメカニカルキー１１Ｂの前記一部のいずれか一方の前記ケース３２内への収容状態および非収容状態で位置を変化するようにして前記ケース３２に変位可能に支持されるマグネット７１と、該マグネット７１の変位によってスイッチング態様を変化するようにして前記発信ユニット３１に配設されるスイッチ７２とで構成されるので、簡単な構造で検知手段７０を構成することができる。
【００５２】
またアタッチメント３３には、全体が金属製であるメカニカルキー１１Ｂにその板厚方向で弾発的に当接する弾発当接部４２が設けられるので、アタッチメント３３のがたつきを抑えることができる。
【００５３】
またキーユニット２１に、ケース３２の内外間にわたる連通孔８１が設けられるので、連通孔８１でケース３２の内外を連通させることにより、ケース３２内に水が浸入しても簡単に水を抜くことができる。
【００５４】
しかもケース３２に、透孔８０を有するリングホルダ７９が、前記透孔８０を前記ケース３２の外方に配置するようにして取付けられ、一端を前記ケース３２内に開口させた前記連通孔８１が、前記透孔８０の内周面に他端を開口させるようにして前記リングホルダ７９に設けられるので、連通孔８１の外端開口部をリングホルダ７９で覆うようにして、ケース３２内に水が簡単に浸入しないようにすることができ、しかも連通孔８１の外端開口部を外部から見え難くして外観性を高めることができる。
【００５５】
以上、本発明の実施の形態について説明したが、本発明は上記実施の形態に限定されるものではなく、特許請求の範囲に記載された本発明を逸脱することなく種々の設計変更を行うことが可能である。
【００５６】
たとえば上記実施の形態では、携帯器２０の発信ユニット３１を、施錠ボタン４５および解錠ボタン４６の押し込み操作によって施錠および解錠信号を無線送信するものとしたが、正規のユーザの携帯によってロック機構１２の施錠状態および解錠状態を切換える無線信号を常時発信するタイプのものであってもよく、またロック機構１２側からのリクエスト信号に応じてロック機構１２の施錠状態および解錠状態を切換える無線信号を発信する双方向タイプのものであってもよい。
【００５７】
また上記実施の形態では電動駆動装置１６が後付けで取付けられる住宅用のドアＤに関連して説明したが、本発明は、携帯器２０による施錠および解錠を可能とするとともに、メカニカルキーによる機械的な施錠および解錠操作を可能としたドアのロック機構に関連して広く実施することができ、たとえば自動車のドアのロック機構に関連して本発明を実施することもできる。
【符号の説明】
【００５８】
１１Ａ・・・第１のメカニカルキー
１１Ｂ・・・第２のメカニカルキー
１２・・・ロック機構
２０・・・携帯器
２１・・・キーユニット
２９・・・キープレート
２９ａ・・・キーヘッド
３０・・・モールド部
３１・・・発信ユニット
３２・・・ケース
３３・・・アタッチメント
４２・・・弾発当接部
７０・・・検知手段
７９・・・リングホルダ                                                          ８０・・・透孔
８１・・・連通孔
Ｄ・・・ドア
【図１】
2014084695.tif 000003
【図２】
2014084695.tif 000004
【図３】
2014084695.tif 000005
【図４】
2014084695.tif 000006
【図５】
2014084695.tif 000007
【図６】
2014084695.tif 000008
【図７】
2014084695.tif 000009
【図８】
2014084695.tif 000010
【図９】
2014084695.tif 000011
【図１０】
2014084695.tif 000012
【図１１】
2014084695.tif 000013